(57)【要約】      （修正有）【課題】監視性を有して製造コストの上昇を抑制できる表示装置を提供する。【解決手段】画面３ａを有する表示部３と、表示部３の周囲環境の照度を検知する照度検知部５と、画面３ａの非表示時に照度検知部５により周囲環境の照度を検知して照度検知部５の検知結果が所定範囲外か否かを監視する監視モードを有する制御部とを備え、これにより、夜間等の暗い周囲環境において、電灯等を所持した不法侵入者の存在や火災等の異常事態を容易に発見できる。【選択図】図１
2015228565.tif 000002
【特許請求の範囲】
【請求項１】
画面を有する表示部と、
前記表示部の周囲環境の照度を検知する照度検知部と、
前記画面の非表示時に前記照度検知部により前記周囲環境の照度を検知して前記照度検知部の検知結果が所定範囲外か否かを監視する監視モードを有する制御部と、
を備えたことを特徴とする表示装置。
【請求項２】
前記周囲環境を撮像する撮像部を備え、
前記監視モード時に前記検知結果に基づいて前記撮像部を駆動させることを特徴とする請求項１に記載の表示装置。
【請求項３】
前記周囲環境の照度に基づいて非表示状態の前記画面を表示状態にして前記撮像部を駆動させることを特徴とする特徴とする請求項２に記載の表示装置。
【請求項４】
表示状態の前記画面の色を白色にしたことを特徴とする請求項３に記載の表示装置。
【請求項５】
前記撮像部によって撮像した画像を記憶する記憶部を備えたことを特徴とする請求項２〜請求項４のいずれかに記載の表示装置。
【請求項６】
前記検知結果は所定期間内の前記周囲環境の照度の変化量を含み、前記監視モードでは前記変化量が所定範囲外か否かを監視することを特徴とする請求項１〜請求項５のいずれかに記載の表示装置。
【請求項７】
前記検知結果は所定期間内の前記周囲環境の照度の変化率を含み、前記監視モードでは前記変化率が所定範囲外か否かを監視することを特徴とする請求項１〜請求項５のいずれかに記載の表示装置。
【請求項８】
前記監視モード時に前記検知結果が所定範囲外になると報知を行うことを特徴とする請求項１〜請求項７のいずれかに記載の表示装置。
【請求項９】
所定の接続先端末に対して通信により報知を行うことを特徴とする請求項８に記載の表示装置。
【請求項１０】
非表示状態の前記画面を表示状態にして前記画面に画像を表示して報知、警告を行うことを特徴とする請求項８または請求項９に記載の表示装置。
【請求項１１】
音声を出力する音声出力部を備え、音声により報知、警告を行うことを特徴とする請求項８〜請求項１０のいずれかに記載の表示装置。
【請求項１２】
前記監視モードを行う監視時間帯を所定の操作により設定できることを特徴とする請求項１〜請求項１１のいずれかに記載の表示装置。
【請求項１３】
操作部を備え、前記操作部の操作により前記監視モードが開始及び終了されることを特徴とする請求項１〜請求項１２のいずれかに記載の表示装置。
【請求項１４】
前記画面の向きを変える方向変更部を備え、
前記表示部の前面に前記画面及び前記照度検知部を配置し、前記監視モード時に前記画面を所定方向に向けることを特徴とする請求項１〜請求項１３のいずれかに記載の表示蔵置。
【発明の詳細な説明】
【技術分野】
【０００１】
本発明は、照度検知部を備えた表示装置に関する。
【背景技術】
【０００２】
特許文献１には、照度検知部を備えた表示装置が開示されている。この表示装置は本体部及びリモートコントローラを有し、本体部は表示部、照度検知部及び記憶部を有する。表示部は放送番組等の映像を表示する。照度検知部はフォトダイオードから成り、表示装置の周囲環境の照度を検知する。記憶部は照度と視聴距離と表示部の画質レベルとの関係を示すデータを記憶する。
【０００３】
リモートコントローラは複数のスイッチを有し、本体部を遠隔操作する。使用者が一のスイッチを押圧すると押圧時間に応じて表示部に距離が表示される。表示部に所望の距離が表示された時に、他のスイッチを操作することにより距離が決定される。これにより、使用者と表示部との間の視聴距離が設定される。そして、周囲環境の照度及び視聴距離に応じて表示部の画質レベルが調整される。これにより、使用者の視聴環境に応じた画質レベルを設定することができる。
【０００４】
特許文献２には、人体センサを備えた表示装置が開示されている。この表示装置は居室内に設置され、表示部、音声出力部、人体センサ及び撮像部を有する。表示部は放送番組等の映像を表示し、音声出力部は放送番組等の音声を出力する。人体センサは赤外線センサから成り、表示装置の前面に複数設けられる。撮像部は表示装置の前面に設けられ、居室内の様子を撮像する。
【０００５】
特許文献２の表示装置は、表示部の画面の非表示時に人体センサにより居室内の人体の存否を監視する監視モードを有する。使用者の所定操作により監視モードに移行する。そして、監視モード時に居室内への侵入者を検知すると、音声出力部から最大音量で音声を出力する。これにより、居室外の使用者は居室内の侵入者の存在を認識することができる。また、監視モード時に居室内への侵入者を検知すると、撮像部を駆動させて居室内の様子を撮像する。
【先行技術文献】
【特許文献】
【０００６】
【特許文献１】特開平４−３４２３７３号公報（第３頁、第１図、第２図）
【特許文献２】特開２００８−２９４９３９号公報（第６頁〜第８頁、第２図、第３図）
【発明の概要】
【発明が解決しようとする課題】
【０００７】
従来から、監視カメラ等を有する専用の監視装置を用いて、防犯等のために例えば夜間の居室内や店内の様子を監視する要望がある。しかしながら、監視装置を居室内や店内に設置するとコストが増加するとともに設置場所を確保する必要がある。また、夜間の居室内や店内の不法侵入者の存否を検知するために、特許文献１の表示装置に特許文献２の人体センサを設けると、部品点数が増加して、表示装置の製造コストが増加する問題があった。
【０００８】
本発明は、監視性を有して製造コストの上昇を抑制できる表示装置を提供することを目的とする。
【課題を解決するための手段】
【０００９】
上記目的を達成するために、本発明の表示装置は、画面を有する表示部と、前記表示部の周囲環境の照度を検知する照度検知部と、前記画面の非表示時に前記照度検知部により前記周囲環境の照度を検知して前記照度検知部の検知結果が所定範囲外か否かを監視する監視モードを有する制御部と、を備えたことを特徴としている。
【００１０】
この構成によると、照度検知部により表示部の周囲環境の照度が検知される。表示部の画面表示状態において、照度検知部の検知結果に基づいて例えば表示部の画面の輝度等が調整される。監視モードでは、表示部の画面非表示状態で照度検知部により周囲環境の照度が検知され、照度検知部の検知結果が所定範囲外になったか否かが監視される。
【００１１】
また本発明は、上記構成の表示装置において、前記周囲環境を撮像する撮像部を備え、前記監視モード時に前記照度検知部の検知結果に基づいて前記撮像部を駆動させると好ましい。
【００１２】
また本発明は、上記構成の表示装置において、前記周囲環境の照度に基づいて非表示状態の前記画面を表示状態にして前記撮像部を駆動させるとより好ましい。この構成によると、撮像部の駆動時に周囲環境が照明される。
【００１３】
また本発明は、上記構成の表示装置において、表示状態の前記画面の色を白色にすると好ましい。この構成によると、白色画面により周囲環境が照明される。
【００１４】
また本発明は、上記構成の表示装置において、前記撮像部によって撮像した画像を記憶する記憶部を備えると好ましい。
【００１５】
また本発明は、上記構成の表示装置において、前記検知結果は所定期間内の前記周囲環境の照度の変化量を含み、前記監視モードでは前記変化量が所定範囲外になったか否かを監視すると好ましい。
【００１６】
また本発明は、上記構成の表示装置において、前記検知結果は所定期間内の前記周囲環境の照度の変化率を含み、前記監視モードでは前記変化率が所定範囲外になったか否かを監視すると好ましい。
【００１７】
また本発明は、上記構成の表示装置において、前記監視モード時に前記検知結果が所定範囲外になると報知を行うと好ましい。
【００１８】
また本発明は、上記構成の表示装置において、所定の接続先端末に対して通信により報知を行うと好ましい。
【００１９】
また本発明は、上記構成の表示装置において、非表示状態の前記画面を表示状態にして前記画面に画像を表示して報知、警告を行うと好ましい。
【００２０】
また本発明は、上記構成の表示装置において、音声を出力する音声出力部を備え、音声により報知、警告を行うと好ましい。
【００２１】
また本発明は、上記構成の表示装置において、前記監視モードを行う監視時間帯を所定の操作により設定できると好ましい。
【００２２】
また本発明は、上記構成の表示装置において、操作部を備え、前記操作部の操作により前記監視モードが開始及び終了されると好ましい。
【００２３】
また本発明は、上記構成の表示装置において、前記画面の向きを変える方向変更部を備え、前記表示部の前面に前記画面及び前記照度検知部を配置し、前記監視モード時に前記画面を所定方向に向けると好ましい。この構成によると、監視モード時に画面及び照度検知部が例えば居室の窓の方向に向く。
【発明の効果】
【００２４】
本発明によると、表示部の画面非表示時に照度検知部により表示部の周囲環境の照度を検知して照度検知部の検知結果が所定範囲外か否かを監視する監視モードを有する。これにより、例えば夜間等の暗い周囲環境において、電灯等を所持した不法侵入者の存在や火災等の異常事態を容易に発見することができる。また、表示部の画面表示状態において、照度検知部の検知結果に基づいて画面の輝度調整等を行うことができる。したがって、監視性を有して製造コストの上昇を抑制することができる表示装置を提供することができる。
【図面の簡単な説明】
【００２５】
【図１】本発明の第１実施形態のテレビジョン受像装置を示す正面図
【図２】本発明の第１実施形態のテレビジョン受像装置の本体部の構成を示すブロック図
【図３】本発明の第１実施形態のテレビジョン受像装置の監視モードの動作を示すフローチャート
【図４】本発明の第１実施形態のテレビジョン受像装置を備えた居室の平面断面図であって表示部の画面の向きの変更について説明するための図
【図５】本発明の第２実施形態のテレビジョン受像装置の監視モード時の報知画面を示す図
【発明を実施するための形態】
【００２６】
＜第１実施形態＞
以下に図面を参照して本発明の実施形態を説明する。図１は第１実施形態のテレビジョン受像装置を示す正面図である。テレビジョン受像装置１（表示装置）は例えば居室Ｒ（図４参照）内のラック７０に設置される本体部２を有し、ＴＶ放送信号を受信する。本体部２の前面には表示部３、音声出力部４、照度検知部５及び撮像部６が設けられる。また、本体部２の下部にはラック７０上に載置される設置部２０が設けられるとともに、設置部２０と表示部３とを連結する連結部２１が設けられる。
【００２７】
表示部３は液晶表示パネルから成る画面３ａを有し、ＴＶ放送局から受信した映像信号に基づく映像を表示する。音声出力部４はスピーカから成り、音声等を出力する。
【００２８】
照度検知部５は本体部２の前面の下部に配置され、居室Ｒ（周囲環境）内の照度を検知する。照度検知部５が検知した照度に応じて、画面３ａの後方のバックライト（不図示）が制御される。これにより、居室内の照度に応じて、表示状態の表示部３の画面３ａの輝度が調整される。例えば、居室Ｒ内の照度が大きいほど画面３ａの輝度を大きくすることができる。したがって、テレビジョン受像装置１の利便性を向上させることができる。なお、照度検知部５の位置は本体部２の前面の下部に限定されず、居室Ｒ内の照度を検知できる位置であればよい。
【００２９】
撮像部６はカメラから成り、本体部２の前面の上部に設けられる。撮像部６は居室Ｒ内の様子の動画や静止画を撮像する。なお、撮像部６の位置は本体部２の前面の上部に限定されず、居室Ｒ内の様子の動画や静止画を撮像できる位置であればよい。また、撮像部６に替えて、本体部２に接続可能なカメラを本体部２に接続して撮像を行ってもよい。
【００３０】
また、本体部２はリモートコントローラ３０（操作部）と赤外線やＢｌｕｅｔооｔｈ（登録商標）規格に従った無線通信を行い、リモートコントローラ３０によって遠隔操作される。リモートコントローラ３０は十字キー３０ａ及び文字キー３０ｂを有する。
【００３１】
図２は、テレビジョン受像装置１の本体部２の構成を示すブロック図である。本体部２はＣＰＵから成る制御部１３を備え、制御部１３はテレビジョン受像装置１の各部を制御する。また、制御部１３は監視モードを有する。監視モードでは、表示部３の画面３ａの非表示時に照度検知部５により居室Ｒ内の照度を検知して照度検知部５の検知結果が所定範囲外か否かを監視する。制御部１３には、チューナ７、音声出力部４、表示部３、操作部８、無線通信部９、撮像部６、記憶部１０、照度検知部５、方向変更部１１及びＬＡＮ通信部１２がそれぞれ接続される。
【００３２】
チューナ７にはアンテナ７ａが接続され、チューナ７はアンテナ７ａを介してＴＶ放送局からＴＶ放送信号を受信して復調する。
【００３３】
操作部８は本体部２の上面や側面に配される複数の操作ボタン（不図示）を有し、各操作ボタンの操作により本体部２への電源投入、チャンネルの変更、音声出力部４から出力される音量の調節、監視モードの設定等を行うことができる。
【００３４】
無線通信部９にはアンテナ９ａが設けられる。無線通信部９はアンテナ９ａを介してＢｌｕｅｔооｔｈ規格に従った無線通信によりリモートコントローラ３０との間で通信データの送受信を行う。また、ＬＡＮ通信部１２は記憶部１０に予め登録される携帯電話機やタブレット端末等の携帯情報端末（接続先端末）とデータの送受信を行う。
【００３５】
記憶部１０は例えばＥＥＰＲＯＭ等から成り、本体部２の動作プログラムや各種データを記憶する。各種データには、撮像部６により撮像された動画や静止画が含まれる。なお、記憶部１０は本体部２の内部のＥＥＰＲＯＭに替えて、例えば本体部２に接続されてＥＥＰＲＯＭよりも記憶容量の大きい外部記憶装置により構成されてもよい。
【００３６】
方向変更部１１は設置部２０に設けられたモータ（不図示）を有し、モータの回転により連結部２１を水平面内で回動させる。これにより、表示部３が水平面内で回動し、画面３ａの向きが変更される。
【００３７】
上記構成のテレビジョン受像装置１において、本体部２の操作部８やリモートコントローラ３０の所定操作により本体部２に電源を投入すると、表示部３の画面３ａに放送番組の映像が表示される。また、音声出力部４から放送番組の音声が出力される。これにより、使用者は放送番組を視聴することができる。また、操作部８やリモートコントローラ３０の所定操作により、表示部３の画面３ａは非表示状態になるとともに音声出力部４からの音声出力が停止される。これにより、放送番組の視聴を終了することができる。
【００３８】
また、使用者は操作部８やリモートコントローラ３０を操作して監視モードの開始時刻及び終了時刻を設定することができる。例えば、開始時刻を午後１１時にし、終了時刻を午前５時と設定することができる。
【００３９】
図３はテレビジョン受像装置１の監視モード時の動作を示すフローチャートである。図４は居室Ｒの平面断面図であって表示部３の画面３ａの向きの変更について説明するための図である。テレビジョン受像装置１は待機状態となっている。ここで、待機状態とは表示部３の画面３ａが非表示でリモートコントローラ３０からの指示を受信可能な状態を示す。表示部３ａの画面３ａが非表示状態で監視モードの開始時刻（例えば、午後１１時）になると、監視モードが開始される。ここでは、夜間に居室Ｒの照明装置（不図示）が消灯されて、居室Ｒ内が暗くなっている場合を例に説明する。
【００４０】
なお、監視モードの開始時刻に画面３ａが表示状態の場合には画面３ａが非表示状態になるまで待機する。これにより、監視モードの開始時刻に使用者が放送番組等を視聴している場合には監視モードには移行しない。
【００４１】
ステップ＃１では、方向変更部１１により表示部３が図４の実線位置から回動し、図４の一点鎖線３´に示すように画面３ａが居室Ｒの窓９０の方向を向く。この時、一点鎖線３´の位置で画面３ａが窓９０を向くように予め回動範囲を調整しておく。なお、方向変更部１１により表示部３が実線位置から回動し、画面３ａが居室Ｒの扉８０の方向を向くようにしてもよい。
【００４２】
ステップ＃２では、照度検知部５により居室Ｒ内の照度が検知される。ステップ＃３では、居室Ｒ内の照度が所定範囲（例えば、０．１ルクス〜１ルクス）外か否かが判断される。居室Ｒ内の照度が所定範囲外の場合にはステップ＃４に移行し、所定範囲内の場合にはステップ＃８に移行する。ここで、居室Ｒ内の照度が所定範囲外の場合（本実施形態では、所定範囲の上限値を超える場合）とは、例えば懐中電灯等を所持した不法侵入者が居室Ｒ内に存在する場合や火災による炎が発生した場合等の異常事態である可能性が高い。
【００４３】
ステップ＃４では、音声出力部４から音声（例えば、「侵入者確認、警察に通報中」等）が最大音量で出力される。これにより、居室Ｒ内の不法侵入者に対して警告が行われ、居室Ｒからの退去を促すことができる。また、居室Ｒ外の使用者に対して異常事態が発生したことを報知することができる。なお、音声出力部４からサイレン音を出力させてもよい。また、音声出力部４による報知に替えて、または音声出力部４による報知に加えて、記憶部１０に予め登録された携帯電話機やタブレット端末等の携帯情報端末に対してＬＡＮ通信部１２を介して上記音声の内容を報知してもよい。これにより、外出中の使用者に対して居室Ｒ内の異常事態を容易に報知することができる。
【００４４】
ステップ＃５では、居室Ｒ内の照度が所定の下限照度よりも大きいか否かが判断される。ここで、下限照度としては撮像部６によって居室Ｒ内の様子を撮像できる程度の照度を設定する。居室Ｒ内の照度が下限照度よりも小さい場合にはステップ＃６に移行し、大きい場合にはステップ＃７に移行する。
【００４５】
ステップ＃６では表示部３のバックライトが駆動され、画面３ａの全面は白色で表示される。これにより、撮像部６による撮像に必要な照度を確保することができる。なお、記憶部１０に記憶されている画像（例えば、放送番組の録画映像等）を画面３ａに表示してもよい。また、画面３ａに任意の放送番組の映像を表示してもよい。全面白色画像や録画映像を画面３ａに表示することにより放送時間が終了している場合でも撮像に必要な照度を確実に確保することができる。
【００４６】
ステップ＃７では、撮像部６が駆動される。これにより、異常事態が発生した居室Ｒ内の様子の動画や静止画を撮像することができる。撮像された動画や静止画は記憶部１０に記録される。これにより、居室Ｒ内で発生した異常事態を後日確認することができる。なお、撮像部６により撮像された動画や静止画をＬＡＮ通信部１２を介して携帯情報端末に送信してもよい。これにより、使用者は居室Ｒ内の様子を容易に認識することができる。
【００４７】
ステップ＃８では、監視モードの終了時刻（例えば、午前５時）になったか否かが判断される。終了時刻になっていない場合にはステップ＃９に移行し、終了時刻になった場合には監視モードは終了する。監視モードが終了すると、表示部３は回動して図４の実線位置に戻る。また、撮像部６が駆動している場合には撮像部６は停止される。
【００４８】
ステップ＃９では、監視モードの終了操作が行われたか否かが判断される。終了操作は操作部８やリモートコントローラ３０を操作することにより行われる。終了操作が行われた場合には監視モードが終了する。終了操作が行われていない場合にはステップ＃１０に移行する。
【００４９】
ステップ＃１０では、撮像部６が駆動されているか否かが判断される。撮像部６が駆動されている場合にはステップ＃８に戻り、ステップ＃８〜ステップ＃１０が繰り返される。撮像部６が駆動していない場合（居室Ｒ内の照度が所定範囲内の場合）にはステップ＃３に戻り、ステップ＃３〜ステップ＃１０が繰り返される。
【００５０】
本実施形態によると、画面３ａの非表示時に照度検知部５により居室Ｒ内（周囲環境）の照度を検知して照度検知部５の検知結果が所定範囲外か否かを監視する監視モードを有する。これにより、例えば夜間等の暗い居室Ｒ内において、懐中電灯等を所持した不法侵入者の存在や火災等の異常事態を容易に発見することができる。また、表示部３の画面３ａの表示状態において、照度検知部５の検知結果に基づいて画面３ａの輝度調整等を行うことができる。したがって、監視性を有して製造コストの上昇を抑制することができる表示装置１を提供することができる。
【００５１】
また、照度検知部５はテレビジョン受像装置１に設けられるため、テレビジョン受像装置１とは別に設置場所を確保する必要がない。
【００５２】
また、居室Ｒ内の様子を撮像する撮像部６を備え、監視モード時に居室Ｒ内の照度が所定範囲外になると撮像部６を駆動させるため、居室Ｒ内の不法侵入者等を撮像することができる。
【００５３】
また、居室Ｒ内の照度が所定の下限照度よりも小さい場合には、非表示状態の画面３ａを表示状態にして撮像部６を駆動させるため、撮像部６による撮像に必要な照度を確保することができる。
【００５４】
また、表示状態の画面３ａの色を白色にするため、放送時間が終了している場合にも撮像部６による撮像に必要な照度を確実に確保することができる。
【００５５】
また、撮像部６によって撮像した画像を記憶する記憶部１０を備えているため、居室Ｒ内の様子を後日に容易に確認することができる。
【００５６】
また、監視モード時に照度検知部５の検知結果が所定範囲外になると報知を行うため、使用者は居室Ｒ内の異常事態の発生を容易に認識することができる。
【００５７】
また、携帯情報端末（所定の接続先端末）に対して通信により報知を行うため、居室Ｒ以外の部屋に在室または外出中の使用者は居室Ｒの異常事態の発生を容易に認識することができる。
【００５８】
また、音声を出力する音声出力部４を備え、音声により報知を行うため、居室Ｒ外の使用者は居室Ｒ内の異常事態を容易に認識することができる。また、居室Ｒへの不法侵入者に対しては警告が行われ、居室Ｒからの退去を促すことができる。
【００５９】
また、画面３ａの向きを変える方向変更部１１を備え、監視モード時に画面３ａを居室Ｒの窓９０の方向に向けるため、窓９０から侵入することの多い不法侵入者を容易に検知することができる。
【００６０】
なお、使用者が操作部８（操作部）やリモートコントローラ３０（操作部）の所定のキーやボタンを操作した時に監視モードに移行してもよい。これにより、例えば使用者が夜間に短時間外出する場合でも監視モードを容易に行うことができる。この場合、キーやボタンの操作後の所定時間（例えば５分間）経過後に監視モードに移行する。これにより、使用者が居室Ｒから退出する前（居室Ｒ内の照明装置の点灯時）に、居室Ｒ内の照度が所定範囲外にあると判断されることを防止することができる。
【００６１】
なお、火災時に発生する炎を照度検知部５が検知した場合には、短時間内に照度検知部５の電圧値が変化する。そこで、図３のステップ＃３において、居室Ｒ内の照度が所定範囲外になった回数が所定期間（例えば１分間）内に所定回数（例えば１０回）を超えた場合にステップ＃４に移行し、音声出力部４から火災発生の旨を報知してもよい。
【００６２】
また、撮像部６が夜間撮影可能な赤外線カメラから成る場合には、図３のステップ＃５及びステップ＃６を省いてもよい。
【００６３】
また、本実施形態では、監視モードの開始時に居室Ｒ内が暗い場合について説明したが、監視モードの開始時に明るい場合に適用してもよい。例えば、照明装置で夜間に照明する場所にテレビジョン受像装置１を配置し、図３のステップ＃３において、その場所の照度が所定範囲（例えば、１０００〜１５００ルクス）外になった場合（例えば、照明装置が消灯された場合）にステップ＃４に移行して報知を行ってもよい。
【００６４】
＜第２実施形態＞
次に、本発明の第２実施形態について説明する。図５は本実施形態のテレビジョン受像装置１の監視モード時の報知画面Ｐを示した図である。説明の便宜上、図１〜図４に示す第１実施形態と同様の部分には同一の符号を付している。本実施形態は図３のステップ＃４の報知の態様が第１実施形態とは異なっている。また、本実施形態では、図３のステップ＃５及びステップ＃６を省いている点で第１実施形態とは異なっている。その他の部分は第１実施形態と同様である。
【００６５】
ステップ＃４では、図５に示すような報知画面Ｐが最大輝度で表示部３の画面３ａに表示される。報知画面Ｐには例えば「侵入者確認！！！  警察に通報中！！！」というメッセージとサイレンが鳴っている様子を描いた図とが含まれる。報知画面Ｐによって不法侵入者に対して退去を一層強く促すことができる。なお、この時、音声出力部４から「侵入者確認  警察に通報中」との音声とサイレン音を出力させてもよい。
【００６６】
また本実施形態では、ステップ＃４において画面３ａを最大輝度で表示状態にしているため、図３のステップ＃５及びステップ＃６を省いても、撮像部６による撮像に必要な照度を確保することができる。
【００６７】
本実施形態によると、第１実施形態と同様の効果を得ることができる。また、居室Ｒ内の照度が所定範囲外になった場合には図３のステップ＃４に移行し、報知画面Ｐを最大輝度で表示部３の画面３ａに表示する。これにより、居室Ｒ内の不法侵入者に対して居室Ｒからの退去を一層強く促すことができる。また、表示部３のバックライトによって撮像部６による撮像に必要な照度を容易に確保することができる。
【００６８】
＜第３実施形態＞
次に、本発明の第３実施形態について説明する。本実施形態では、図３のステップ＃３において、居室Ｒ内の所定期間内の照度の変化量が所定の範囲外か否かが判断される点で第１実施形態とは異なっている。その他の部分は第１実施形態と同様である。
【００６９】
照度の変化量は照度検知部５の検知に基づいて制御部１３で導出される。照度の変化量は例えば、ある時間の照度と所定時間（例えば１分間）経過後の照度との差から導出する。これにより、照度検知部５の検知結果には照度の変化量も含まれる。
【００７０】
本実施形態によると、第１実施形態と同様な効果を得ることができる。また、監視モードでは所定期間内の居室Ｒ内の照度の変化量が所定の範囲外か否かを監視するため、より正確に居室Ｒ内の異常事態を発見することができる。
【００７１】
＜第４実施形態＞
次に、本発明の第４実施形態について説明する。本実施形態では、図３のステップ＃３において、居室Ｒ内の所定期間内の照度の変化率が所定の範囲外になったか否かが判断される点で第１実施形態とは異なっている。その他の部分は第１実施形態と同様である。
【００７２】
照度の変化率は照度検知部５の検知に基づいて制御部１３で導出される。照度の変化率は、例えば時間ごとの照度をプロットして時間に対する照度の変化曲線を作成し、各時間における微分値から導出される。これにより、照度検知部５の検知結果には照度の変化率も含まれる。
【００７３】
本実施形態によると、第１実施形態と同様の効果を得ることができる。また、監視モードでは所定期間内の照度の変化率が所定の範囲外になった否かを監視するため、より正確に居室Ｒ内の異常事態を発見することができる。
【００７４】
第１〜第４実施形態では、表示装置としてテレビジョン受像装置１を例に説明しているが、パーソナルコンピュータ装置のディスプレイ等でもよい。
【産業上の利用可能性】
【００７５】
本発明は、照度検知部を備えた表示装置に利用することができる。
【符号の説明】
【００７６】
１      テレビジョン受像装置（表示装置）
２      本体部
３      表示部
３ａ    画面
４      音声出力部
５      照度検知部
６      撮像部
７      チューナ
８      操作部
９      無線通信部
１０    記憶部
１１    方向変更部
１２    ＬＡＮ通信部
１３    制御部
３０    リモートコントローラ
【図１】
2015228565.tif 000003
【図２】
2015228565.tif 000004
【図３】
2015228565.tif 000005
【図４】
2015228565.tif 000006
【図５】
2015228565.tif 000007